(57)【要約】【課題】レンズ面に図案が配されたサングラスを簡単かつ低価格で製造できるようにする。【解決手段】サングラス１は、意匠図案１１ａが印刷されかつ複数の透光孔部１１ｂが形成された図案シート１１をメガネ本体１２のレンズ１３に貼着させてなる。【選択図】図１
0003195861.tif 000002
【実用新案登録請求の範囲】
【請求項１】
複数の透光孔部が形成された図案シートを、メガネ本体のレンズ面に貼着させてなるサングラス。
【請求項２】
請求項１において、
前記複数の透光孔部はメッシュ状に配列されていることを特徴とするサングラス。
【請求項３】
請求項１において、
前記複数の透光孔部はスリット状に配列されていることを特徴とするサングラス。
【請求項４】
請求項１又は２において、
前記図案シートは貼着面側に剥離紙を備えていることを特徴とするサングラス。
【考案の詳細な説明】
【技術分野】
【０００１】
本発明は、ファッション性を重視したサングラスに関する。
【背景技術】
【０００２】
サングラスにファッション性を持たせるため、サングラスのレンズ面に意匠図案を直接形成することがある。しかしながらそのようなサングラスは、図案のために視界が悪くなるので長時間の装着には適さない。そのような問題を解決するため、次の特許文献１には、レンズに代えて、表面に意匠図案が配されかつ多数のパンチ穴が所定間隔で形成された遮光プレートを用いたサングラスが提案されている。また引用文献２には、装飾模様を有する布を表面レンズと基盤レンズとの間に介在させたサングラスが提案されている。
特許文献１、２のようなサングラスの場合、遮光プレートあるいは布の表面に図案を形成すれば視界が悪化するという問題は生じ難い。
【先行技術文献】
【特許文献】
【０００３】
【特許文献１】特開平８−２４８３６１号公報
【特許文献２】特開２０１４−９８８８４号公報
【考案の概要】
【考案が解決しようとする課題】
【０００４】
しかしながら、前記特許文献１あるいは２において提案された構成とした場合、サングラスが高価になってしまうという問題が生じる。すなわち前者の場合は独特な遮光パネルが必要とされ、後者の場合はレンズに布を挟むという独特な加工が必要とされる。
このような先行技術と異なり、本考案はレンズ面に意匠図案が配されたサングラスを簡単かつ低価格で製造できるようにすることを目的とする。
【課題を解決するための手段】
【０００５】
本考案によるサングラスによれば、意匠図案が印刷されかつ複数の透光孔部が規則的に配列形成された図案シートを、該図案が外側となるようにメガネ本体のレンズ面全体に貼着させてなる。
【考案の効果】
【０００６】
このような本考案によれば、意匠図案が印刷された図案シートをメガネ本体のレンズ面全体に貼着させる構成なので、レンズ自体に加工を施す必要がなく、簡単かつ低価格で製造できる。
【図面の簡単な説明】
【０００７】
【図１】本考案の実施形態の一例とされるサングラスの斜視図である。
【図２】本考案の実施形態の一例とされるサングラスの組立て図である。
【図３】変形例とされるサングラスの変形例の組立て図である。
【図４】本考案の実施形態の他例とされるサングラスの斜視図である。
【図５】メガネ本体と別体とされた図案シートの出荷態様を示す図である。
【考案を実施するための形態】
【０００８】
図１は本考案の実施形態の一例とされるサングラスの斜視図であり、図２はその組立て図である。
【０００９】
図示のサングラス１は、意匠図案１１ａが印刷されかつ複数の透光孔部１１ｂが形成された柔軟な図案シート１１をメガネ本体１２のレンズ１３の表面全体に貼着させたものである。このようなものでは、レンズ１３自体に意匠図案１１ａを直接印刷する等の加工を施す必要がないので、サングラス１を簡単かつ低価格で製造できる。
【００１０】
図案シート１１は、紙ベース、樹脂ベースあるいは金属ベースの各種シート製品を用いて構成することができる。図案シート１１は、裏面に接着層が予め形成されたシール製品を用いてもよく、そうすれば図案シート１１に接着層を形成する手間が省けレンズ１３の表面に簡単に貼着できるようになる。
【００１１】
図案シート１１は、その表面には、各種染料あるいは顔料によって所望の意匠図案１１ａが形成されている。意匠図案１１ａは任意の図形や文字を組み合わせたカラー又はモノトーンの図案である。ここでは図案の一例としてアメリカ国旗を用いている。意匠図案１１ａは左右で共通であっても異なっていてもよい。図案シート１１の裏面は色や模様に特段の制限はないが、裏面全体を黒色とすれば装着時の違和感が抑えられる。
【００１２】
図案シート１１の縁カットや透光孔部１１ｂの形成はプレス加工等によって簡単に行うことができる。この例の透光孔部１１ｂは丸形の小穴であってメッシュ状に配列されている。しかし透光孔部１１ｂの形状や配列は特に制限されるものではない。要はサングラス１の装着時に全方向で良好な視界が得られるように透光孔部１１ｂが全体的に均等に配列されていればよい。透光孔部１１ｂを丸孔とした場合、その直径は２ミリ以下にすればよく、１．２ミリ以下とすればより好適である。なおレンズ１３が透明なものであれば、図案シート１１全体に対する透光孔部１１ｂの面積割合は１０〜５０％とするが、２０〜４０％とすればより好適である。透光孔部１１ｂの面積割合はサングラス１の使用シーンとレンズ１３の可視光透過率とを考慮して適宜選択すべきである。
【００１３】
メガネ本体１２は、ガラス製又は樹脂製のレンズ１３を備えていればよく、レンズ１３の色調やフレーム１４のデザイン等は何ら制限されない。一般に伊達メガネと呼ばれるものを用いてもよい。ここでは一例として樹脂レンズを樹脂フレームに嵌め込む形式のメガネを示している。組立て手順としてはレンズ１３をフレーム１４に嵌め込んで固定してから、各レンズ１３の表面にそれぞれ図案シート１１を貼着する。なお本体メガネ１２は左右レンズが連成されたものでもよく、その場合には図案シートは一枚になる。
【００１４】
図３は、サングラスの変形例の組立て図である。この変形例では、図案シート１１をレンズ１３の裏面に貼着させるようにしており、これが前記例との相違点になっており、前記例に共通する要素には同一の参照符号を付けて説明を省略する。図案シート１１は表面に意匠図案１１ａを形成してから、裏面に接着層を設ければよく、図案シート１１の裏面は黒色にするとよい。
【００１５】
図４は本考案の実施形態の他例とされるサングラスの斜視図である。この例は、図案シート１１の透光孔部１１ｂがスリット状に配列されている点に特徴がある。意匠図案１１ａはカナダ国旗としており片側の図案シート１１Ｒのみに配されている。もう片側の図案シート１１Ｌは色目を揃えた無地としている。図案シート１１上での透光孔部１１ｂの面積割合は前記と同様にすればよい。透光孔部１１ｂをスリット状にすれば図案シート１１がより柔軟になるので、硬めの素材で形成した図案シート１１でもレンズ１３に密着させることが容易になる。
【００１６】
なお、前記実施形態の各例では、図案シートがレンズに貼着された構成としているが、図案シートをレンズに容易に貼着できる形態にして、つまりメガネ本体とは別体として、メガネに組み合わせてセット品として販売してもよい。
【００１７】
図５はメガネ本体と別体とされた図案シートの実施態様を示す図である。意匠図案１１ａの異なる複数組の図案シート１１が共通の台紙２０（剥離紙）に配列されている。このようにした複数組の図案シート１１と１つのメガネ本体（図示省略）とを組み合わせた構成として利用者が好みに応じて左右の図案シート１１を選択して自分でメガネ本体に貼着できるようにする。当然なことではあるが、図案シート１１の形状はメガネ本体に合致させたものとする。このような形態でサングラスを組み合わせて販売すれば利用者の好みに合わせたカスタマイズが容易に行える。
【符号の説明】
【００１８】
１      サングラス
１１    図案シート
１１ａ  意匠図案
１１ｂ  透光孔部
１２    本体メガネ
１３    レンズ
２０    剥離紙
【図１】
0003195861.tif 000003
【図２】
0003195861.tif 000004
【図３】
0003195861.tif 000005
【図４】
0003195861.tif 000006
【図５】
0003195861.tif 000007